(57)【要約】      （修正有）【課題】給紙ローラの回転開始時の、地紋のトナー剥離による文書の汚れを防止できる文書改ざん検証システム及び、このシステムで用いるファイルサーバを提供する。【解決手段】文書改ざん検証システムは、用紙に地紋を背景として文字情報を印刷する印刷装置３と、自動給紙機構４を備え、自動給紙機構４に文書ｄをセットして連続的に画像情報を読み取るスキャナ５と、スキャナ５で読み取った画像情報から地紋の秘匿情報を抽出し、これを印刷時に埋め込まれた秘匿情報と照合して文書ｄの改ざんを検証する改ざん検証装置６とを備えている。改ざん検証装置６は、用紙の送り方向側の端部で、ＡＤＦ４の給紙ローラの初期当接箇所の付近に文字情報の改ざんを検出した場合、給紙ローラの初期当接箇所を含むように用紙の端部に余白を設定して地紋の印刷を行うべく印刷装置３を制御する。【選択図】図１
2010034619.tif 000002
【特許請求の範囲】
【請求項１】
用紙に地紋を背景として文字情報を印刷する印刷装置と、
自動給紙機構を備え、該自動給紙機構に印刷文書をセットして画像情報を読み取る読取装置と、
該読取装置で読み取った画像情報から前記地紋の秘匿情報を抽出し、抽出された地紋秘匿情報を印刷時に埋め込まれた秘匿情報と照合して前記印刷文書の改ざんを検証する改ざん検証装置と、
を備えてなる文書改ざん検証システムにおいて、
前記改ざん検証装置は、用紙の送り方向側の端部で、前記自動給紙機構の給紙ローラの初期当接箇所の付近に前記文字情報の改ざんを検出した場合、前記給紙ローラの初期当接箇所を避けて前記地紋を印刷すべく前記印刷装置を制御することを特徴とする文書改ざん検証システム。
【請求項２】
前記印刷装置と前記改ざん検証装置をネットワークを介して接続するとともに、該ネットワーク上にファイルサーバを設け、前記改ざん検証装置は変更した地紋印刷範囲に関する情報を前記ファイルサーバに格納しておき、前記印刷装置はファイルサーバの格納情報を参照して前記地紋の印刷を実行することを特徴とする請求項１に記載の文書改ざん検証システム。
【請求項３】
前記印刷装置は地紋に埋め込んだ秘匿情報を前記ファイルサーバに格納しておき、前記改ざん検証装置は、改ざんの検証に際し、抽出された地紋秘匿情報を前記ファイルサーバの格納情報と照合することを特徴とする請求項２に記載の文書改ざん検証システム。
【請求項４】
用紙に地紋を背景として文字情報を印刷する印刷装置と、自動給紙機構を備え、該自動給紙機構に印刷文書をセットして画像情報を読み取る読取装置とを接続するネットワーク上に設けられるファイルサーバであって、
前記読取装置で読み取った画像情報から前記地紋の秘匿情報を抽出し、抽出された地紋秘匿情報を印刷時に埋め込まれた秘匿情報と照合して前記印刷文書の改ざんを検証する改ざん検証部と、
用紙の送り方向側の端部で、前記自動給紙機構の給紙ローラの初期当接箇所の付近に前記文字情報の改ざんを検出した場合、前記給紙ローラの初期当接箇所を避けて前記地紋を印刷すべく前記印刷装置を制御する地紋印刷制御部と、
該地紋印刷制御部で変更した地紋印刷範囲に関する情報を格納しておく記憶部と、
を備えたことを特徴とするファイルサーバ。
【請求項５】
前記印刷装置が地紋に埋め込んだ前記秘匿情報を格納しておく記憶部を備えたことを特徴とする請求項４に記載のファイルサーバ。
【発明の詳細な説明】
【技術分野】
【０００１】
本発明は、地紋（電子透かし）を背景に有する印刷文書の改ざんを検証する文書改ざん検証システム、及びこのシステムで用いるファイルサーバに関する。
【背景技術】
【０００２】
従来、印刷文書の原本性を確保するため、地紋を背景として文字情報を用紙に印刷し、この文書をスキャナで読み取って地紋の秘匿情報を抽出し、印刷時に地紋に埋め込んだ秘匿情報と照合して文書の改ざんを検証することが行われている。（特許文献１参照）。
【特許文献１】特開２００４−３４３５２３号公報
【発明の開示】
【発明が解決しようとする課題】
【０００３】
前記方法において、大量の印刷文書を検証する場合、自動給紙機構を備えたスキャナを用いるのが能率的である。しかし、プリンタで印刷された地紋は非常に微細であり、文字に比べて用紙への定着性が悪いため、スキャナの自動給紙機構に印刷文書をセットして読み取りを行った場合、図３(ａ)に示すように、自動給紙機構の給紙ローラａが回転し始める際、用紙ｂに印刷された地紋ｃが給紙ローラａにより擦られ、その摩擦で地紋ｃのトナーが給紙ローラａに付着し、これが用紙ｂの表面に転写して汚れを生じ易い。
【０００４】
本発明は、このような事情に鑑み、給紙ローラが地紋のトナーを剥離して印刷文書を汚すことを防止できる文書改ざん検証システムと、このシステムで用いるファイルサーバとを提供することを目的とする。
【課題を解決するための手段】
【０００５】
前記課題を解決するための本発明は、用紙に地紋を背景として文字情報を印刷する印刷装置と、自動給紙機構を備え、該自動給紙機構に印刷文書をセットして画像情報を読み取る読取装置と、該読取装置で読み取った画像情報から前記地紋の秘匿情報を抽出し、抽出された地紋秘匿情報を印刷時に埋め込まれた秘匿情報と照合して前記印刷文書の改ざんを検証する改ざん検証装置とを備えてなる文書改ざん検証システムにおいて、前記改ざん検証装置は、用紙の送り方向側の端部で、前記自動給紙機構の給紙ローラの初期当接箇所の付近に前記文字情報の改ざんを検出した場合、前記給紙ローラの初期当接箇所を避けて前記地紋を印刷すべく前記印刷装置を制御することを特徴とする。
【０００６】
前記印刷装置と前記改ざん検証装置をネットワークを介して接続するとともに、該ネットワーク上にファイルサーバを設け、前記改ざん検証装置は変更した地紋印刷範囲に関する情報を前記ファイルサーバに格納しておき、前記印刷装置はファイルサーバの格納情報を参照して前記地紋の印刷を実行するのが好ましい。
【０００７】
前記印刷装置は地紋に埋め込んだ秘匿情報を前記ファイルサーバに格納しておき、前記改ざん検証装置は、改ざんの検証に際し、抽出された地紋秘匿情報を前記ファイルサーバの格納情報と照合するのが好ましい。
【０００８】
前記課題を解決するための本発明は、用紙に地紋を背景として文字情報を印刷する印刷装置と、自動給紙機構を備え、該自動給紙機構に印刷文書をセットして画像情報を読み取る読取装置とを接続するネットワーク上に設けられるファイルサーバであって、前記読取装置で読み取った画像情報から前記地紋の秘匿情報を抽出し、抽出された地紋秘匿情報を印刷時に埋め込まれた秘匿情報と照合して前記印刷文書の改ざんを検証する改ざん検証部と、用紙の送り方向側の端部で、前記自動給紙機構の給紙ローラの初期当接箇所の付近に前記文字情報の改ざんを検出した場合、前記給紙ローラの初期当接箇所を避けて前記地紋を印刷すべく前記印刷装置を制御する地紋印刷制御部と、該地紋印刷制御部で変更した地紋印刷範囲に関する情報を格納しておく記憶部とを備えたことを特徴とする。
【０００９】
前記印刷装置が地紋に埋め込んだ前記秘匿情報を格納しておく記憶部を備えているのが好ましい。
【発明の効果】
【００１０】
本発明によれば、用紙の送り方向側の端部で、自動給紙機構の給紙ローラの初期当接箇所の付近に文字情報の改ざんが検出されると、この改ざんをトナーの付着によるものと見做し、それ以降、地紋が給紙ローラの初期当接箇所を避けて印刷されるので、給紙ローラが回転し始める際に地紋を擦らなくなり、地紋のトナー剥離による文書の汚れが生じなくなる。この結果、トナー付着による改ざん誤検出が減少し、システムの信頼性の向上に役立つ。
【発明を実施するための最良の形態】
【００１１】
以下、本発明の実施形態を添付図面を参照しながら詳細に説明する。
図１は文書改ざん検証システムのシステム構成を示す図であり、図２は同システムにおける地紋印刷範囲の変更手順を説明する図であり、図３は地紋の余白の設定状態を説明する図であって、（ａ）は余白設定前の状態を示す図であり、（ｂ）は余白設定後の状態を示す図であり、図４は用紙表面に対する地紋の印刷状態を示す図であって、（ａ）（ｂ）はそれぞれ図３（ａ）（ｂ）に対応する図である。
【００１２】
本実施形態に係る文書改ざん検証システムは、図１に示すように、パソコン１とレーザプリンタ２からなる印刷装置３と、自動給紙機構（以下、ＡＤＦという）４を備え、印刷装置３で印刷した文書ｄをＡＤＦ４にセットして連続的に画像情報を読み取るスキャナ（読取装置）５と、スキャナ５で読み取った画像情報に基づいて、文書ｄの改ざんの有無を検証すべくパソコン６ａで構成した改ざん検証装置６と、印刷装置３と改ざん検証装置６のパソコン６ａを接続するネットワーク７上に設けたファイルサーバ８とからなる。ファイルサーバ８は、地紋の印刷範囲を定義した地紋印刷制御情報を格納する記憶部９と、地紋に埋め込まれた秘匿情報を印刷セキュリティ情報として格納する記憶部１０とを備えている。
【００１３】
印刷装置３は、文書ｄの印刷依頼が来ると、ファイルサーバ８の記憶部９から地紋印刷制御情報を取り出し、用紙に対する地紋の印刷範囲を決定し、印刷依頼された文書ｄに対応する秘匿情報を埋め込んだ地紋ｃの画像情報を作成する。そして、作成した地紋の画像情報と、印刷依頼された文書情報とを合成して印刷画像情報を作成し、これをレーザプリンタ２に出力して文書ｄを印刷させる。同時に、地紋に埋め込んだ秘匿情報を印刷セキュリティ情報としてファイルサーバ８の記憶部１０に格納する。なお、地紋に秘匿情報を埋め込む技術は、例えば、特開２００３−１０１７６２号公報より既に公知であるので、詳細な説明は省略する。
【００１４】
スキャナ５は、文書ｄを画像情報として読み取り、これを改ざん検証装置であるパソコン６に出力する。改ざん検証装置６は、スキャナ５で読み取った画像情報から地紋の秘匿情報を抽出し、これをファイルサーバ８の記憶部１０の印刷セキュリティ情報（秘匿情報）と照合して文書ｄの改ざんの有無を検証する。つまり、文書ｄを細かな領域に区画し、その各領域について秘匿情報の照合を行い、秘匿情報の異なる領域で文字情報の改ざんがあったものと認定し、その結果をパソコン６の画面６ａに表示する。また、パソコン６は文書ｄの改ざん検証結果に基づいて地紋の印刷範囲を変更し、これを地紋印刷制御情報としてファイルサーバ８の記憶部１０に格納する。なお、地紋から秘匿情報を抽出する技術についても、前記公報より既に公知であるので、詳細な説明は省略する。
【００１５】
ファイルサーバ８の記憶部１０には、印刷セキュリティ情報として、印刷した人のログイン情報や印刷端末、印刷時刻などの情報、地紋に埋め込めなかった罫線等を含む情報（印刷画像情報等）などを暗号化して記憶してある。
【００１６】
次に、この改ざん検証システムにおける地紋印刷範囲の変更手順について、図２を参照しながら説明する。
まず、文書ｄの印刷依頼が来ると、印刷装置３は地紋印刷範囲の初期化処理を実行する（Ｓ１）。つまり、地紋が用紙全域に印刷されるように印刷範囲を設定し、その値を地紋印刷制御情報としてファイルサーバ８の記憶部９に格納する。この結果、図３（ａ）に示すように地紋ｃが用紙ｂの全域に印刷されることになる。なお、この処理は最初の印刷依頼時にのみ実行される。
【００１７】
次いで、印刷装置３は印刷画像生成処理を実行する（Ｓ２）。つまり、ファイルサーバ８の記憶部９から地紋印刷制御情報を取り出し、用紙ｂに対する地紋ｃの印刷範囲を決定し、印刷依頼された文書ｄに対応する秘匿情報を埋め込んだ地紋ｃの画像情報を作成する。そして、作成した地紋ｃの画像情報と、印刷依頼された文書情報とを合成して印刷画像情報を作成する。そして、印刷画像情報をレーザプリンタ２に出力して文書ｄを印刷させるとともに、地紋ｃに埋め込んだ秘匿情報を印刷セキュリティ情報としてファイルサーバ８の記憶部１０に格納する（Ｓ３）。
【００１８】
改ざん検証装置６では、文書ｄの画像情報をスキャナ５で読み取り（Ｓ４）、この画像情報から地紋ｃの秘匿情報を抽出し、これをファイルサーバ８の記憶部１０の印刷セキュリティ情報と照合して文書ｄの改ざんの有無を検証する（Ｓ５）。次いで、改ざん検証装置６は、文書ｄの改ざん箇所が用紙ｂの送り方向側の端部で、ＡＤＦ４の給紙ローラａの初期当接箇所の付近にあるか否かを判断する（Ｓ６）。改ざん箇所が給紙ローラａの初期当接箇所の付近にない場合、Ｓ１で設定した地紋印刷範囲の変更は行わず、地紋ｃを用紙全域に印刷する地紋印刷範囲の維持処理が行われる（Ｓ７）。
【００１９】
一方、改ざん箇所がＡＤＦ４の給紙ローラｂの初期当接箇所の付近にある場合には、地紋印刷範囲の再設定処理が行われる（Ｓ８）。つまり、図３（ｂ）に示すように、改ざん検証装置６は、地紋ｃを給紙ローラａの初期当接箇所を避けて用紙ｂに印刷するため、地紋ｃの印刷範囲を小さくして用紙ｂの端部に余白Ｗを形成し、変更後の地紋印刷範囲に関する情報をファイルサーバ８の記憶部９に格納する。これ以降、地紋ｃが給紙ローラａの初期当接箇所を避けて印刷されるので、給紙ローラａが回転し始める際に地紋ｃを擦らなくなり、地紋ｃのトナー剥離による文書ｄの汚れが生じなくなる。
【００２０】
この文書改ざん検証システムでは、当初は用紙ｂの全域に亘って地紋ｃを印刷しているので、給紙ローラａが回転し始める際に地紋ｃを擦り、地紋ｃのトナー剥離による汚れＰが用紙ｂの端部に生じ易い（図４（ａ）参照）。また、この箇所の地紋ｃから正確な秘匿情報を抽出することができないため、文字情報の改ざんがあったと認識される。そこで、改ざん箇所が用紙ｂの送り方向側の端部にある場合、その改ざんはトナー剥離による汚れＰによるものと見做し、用紙ｂの送り方向側の端部に余白Ｗを設定している（図４（ｂ）参照）。
【００２１】
このような余白Ｗを設定すると、トナー剥離による汚れＰが生じなくなり、改ざんの誤認も生じなくなる。ただし、余白Ｗでの改ざん検出ができなくなるため、システムの信頼性に問題を生じるが、余白Ｗに重要な文字情報を配置するのを避けると、実用上の支障は然程でもない。
【００２２】
ところで、地紋ｃを形成するトナーの定着性は印刷経過時間や文書ｄの保存環境などによって変化し、定着性が良くなると、トナー剥離による汚れＰは生じなくなる。このため、Ｓ６で用紙ｂの端部の改ざん（汚れＰによる）が検出されるまでＳ７の地紋印刷範囲の維持処理を繰り返すことで、用紙全域に対する改ざんの検出を可能にし、システムの信頼性の向上を図っている。
【００２３】
以上、本発明の一実施形態について説明したが、本発明はこれに限定されるものではなく、種々の変形が可能である。
例えば、以上の実施形態では、改ざん検証装置６において改ざんの検証と地紋印刷範囲の変更を行っているが、図５に示すように、これらの機能はファイルサーバ２０に移してもよい。
すなわち、このファイルサーバ２０には、スキャナ５で読み取った画像情報から地紋ｃの秘匿情報を抽出し、抽出された秘匿情報を印刷時に埋め込まれた秘匿情報と照合して印刷文書の改ざんを検証する改ざん検証部２１と、用紙ｂの送り方向側の端部で、ＡＤＦ４の給紙ローラａの初期当接箇所の付近に文字情報の改ざんを検出した場合、給紙ローラａの初期当接箇所を避けて地紋ｃを印刷すべく印刷装置３を制御する地紋印刷制御部２２と、地紋印刷制御部２２で変更した地紋印刷範囲に関する情報を格納しておく記憶部２３と、印刷装置３が地紋ｃに埋め込んだ秘匿情報を格納しておく記憶部２４を備えている。
【００２４】
さらに、以上の実施形態では、印刷装置３と改ざん検証装置６をネットワーク７で接続し、離れた場所で文書ｄの印刷と改ざん検証を行っているが、印刷装置３と改ざん検証装置６は同じ筐体に組み込むようにしてもよい。
【図面の簡単な説明】
【００２５】
【図１】文書改ざん検証システムのシステム構成を示す図である。
【図２】同システムにおける地紋印刷範囲の変更手順を説明する図である。
【図３】地紋の余白の設定状態を説明する図で、（ａ）は余白設定前の状態を示す図、（ｂ）は余白設定後の状態を示す図である。
【図４】用紙表面に対する地紋の印刷状態を示す図で、（ａ）（ｂ）はそれぞれ図３（ａ）（ｂ）に対応する図である。
【図５】図１の変形例を示す図である。
【符号の説明】
【００２６】
１      パソコン
２      レーザプリンタ
３      印刷装置
４      自動給紙機構
５      スキャナ（読取装置）
６      パソコン（改ざん検証装置）
７      ネットワーク
８      ファイルサーバ
９      記憶部
１０    記憶部
２０    ファイルサーバ
２１    改ざん検証部
２２    地紋印刷制御部
２３    記憶部
２４    記憶部
【図１】
2010034619.tif 000003
【図２】
2010034619.tif 000004
【図３】
2010034619.tif 000005
【図４】
2010034619.tif 000006
【図５】
2010034619.tif 000007